(57)【要約】【課題】吹出口周辺のような結露し易い部分における水滴の保持と水滴落下を防止できる空気調和機の室内機を得る。【解決手段】吸込口１４、熱交換器１１、送風機１２、吹出口１０、吹出口１０の横側に設けられ、吹出口１０の周辺を覆う前面パネル２から凹んだ位置に形成され、吹出口１０の横側の風路を拡大する風路拡大部９、風路拡大部９の上流に設けられたダミー部５、ダミー部５に設けられ、正面視略垂直または傾斜した複数の微細な溝４ａからなる溝部４、及びこの溝部４の下端部に溝部４に生じた結露水を回収する露受け部６を備える。【選択図】図４
2007127389.tif 000002
【特許請求の範囲】
【請求項１】
吸込口、熱交換器、送風機、吹出口及びこの吹出口の横側に設けられたダミー部を有する空気調和機の室内機において、
前記ダミー部に設けられ、正面視略垂直または傾斜した複数の微細な溝からなる溝部と、
この溝部の下端部に前記溝部に生じた結露水を回収する露受け部と、
を備えたことを特徴とする空気調和機の室内機。
【請求項２】
前記吹出口の周辺を覆う前面パネルから凹んだ位置に形成され、前記吹出口の横側の風路を拡大する風路拡大部を備え、
前記ダミー部は、前記風路拡大部の上流側に配設されたことを特徴とする請求項１記載の空気調和機の室内機。
【請求項３】
前記風路拡大部の下流側に風向制御板を配設したことを特徴とする請求項２記載の空気調和機の室内機。
【発明の詳細な説明】
【技術分野】
【０００１】
この発明は、空気調和機の室内機に係り、特に、吹出口周辺の結露による水滴落下を防止できる空気調和機の室内機に関する。
【背景技術】
【０００２】
空気調和機の室内機の吹出口周辺のような結露し易い部分における水滴落下防止は、保水用の植毛テープなどを貼り付けて水滴を保持していた。
また、結露が発生し易い部分、例えば空気調和機の風向板を合成樹脂により成形し、その表面に凹凸部を設け、この凹凸部より形成される凹部で結露により生ずる水滴を保持していた。（例えば、特許文献１参照。）
なお、吹出口周辺のような結露し易い部分としては、例えば、吹出口の横側に伸延されたダミー部等であった。
【０００３】
【特許文献１】特開平６−３４１６６３号公報（段落００１５〜００２０、図１、２）
【発明の開示】
【発明が解決しようとする課題】
【０００４】
従来の空気調和機における吹出口周辺のような結露し易い部分における水滴落下防止装置は、保水用の植毛テープを貼付し、部品点数が多くなり、コストが高かった。また、合成樹脂により成形された凹凸部では、保持できる量が多くないという問題があった。
【０００５】
この発明は、上記のような課題を解決するためになされたもので、目的とするところは、吹出口周辺のような結露し易い部分における水滴の保持と水滴落下を防止できる空気調和機の室内機を得ることである。
【課題を解決するための手段】
【０００６】
この発明に係る空気調和機は、吸込口、熱交換器、送風機、吹出口及びこの吹出口の横側に設けられたダミー部を有する空気調和機の室内機において、前記ダミー部に設けられ、正面視略垂直または傾斜した複数の微細な溝からなる溝部と、この溝部の下端部に前記溝部に生じた結露水を回収する露受け部と、を備えたものである。
【発明の効果】
【０００７】
この発明によれば、ダミー部に設けられ、正面視略垂直または傾斜した複数の微細な溝からなる溝部と、この溝部の下端部に溝部に生じた結露水を回収する露受け部と、を備えたので、保水用の植毛テープを必要とせず、複数の微細な溝にて結露水を保持し、結露水が保持できないほど発生した場合には、結露水は溝を伝い、その下端部の露受け部にて回収することができる。
【発明を実施するための最良の形態】
【０００８】
図１はこの発明の実施の形態における空気調和機の室内機の斜視図、図２は空気調和機の室内機のダミー部の斜視図、図３は空気調和機の室内機のダミー部の前面パネルを一部除いたものの斜視図、図４は図２に示したダミー部の断面図（図５のＣ−Ｃ断面図）、図５は図１の横断面図である。
【０００９】
図１〜５において、空気調和機の室内機は、吸込口１４、吹出口１０を有する筐体１の内部に熱交換器１１、送風機１２を備え、筐体１の前面に、ドレンパン７を有し吹出口１０を形成するノズル３、ノズル３により形成された吹出口１０の周縁を覆う前面パネル２
前面パネル２から凹んだ位置に形成され、吹出口１０近傍の風路を拡大する風路拡大部９、
風路拡大部９内で、吹出口１０の横側に伸延されたダミー部５が設けられている。
【００１０】
風向制御板８が閉じた状態では左右対称のデザインとなっているが、風向制御板８が開いた状態では、吹出口１０の範囲が風向制御板８と同じでないため左右対称でない。
そこで、デザイン上や吹出口が連続して大きく見えるようにするため  ダミー部５が設けられており、実際には空気の吹き出しがないが、見かけの吹出口が図１のＬの範囲となる。
【００１１】
ダミー部５の前面には、正面視略垂直または傾斜した複数の微細な溝からなる溝部４が設けられ、この溝部４の下端部に結露水を回収する露受け部６が設けられている。また、風路拡大部９の下流側に風向制御板８が設けられている。
また、ダミー部５はノズル３と一体に形成され、ノズル３の上流は仕切板１３に連なっており、送風機１２等が取り付けられている。
【００１２】
次に、溝部４と露受け部６について図６〜８により説明する。図６はダミー部に設けられた溝部の断面図、図７は溝の形状を示す図、図８は溝部と露受け部の拡大断面図である。
ダミー部５の溝部４は図６に示すように、複数の微細な溝４ａからなり、ダミー部５の厚さは、例えば、２ｍｍであり、溝部４の形状は、溝幅が１ｍｍ、凸部の幅が１ｍｍ、溝深さが０．５ｍｍである。また、溝部４の正面視の形状は、例えば、図７（ａ）〜（ｄ）に示すように、（ａ）は、垂直の溝４ａ、（ｂ）は曲線の溝４ｂ、（ｃ）は傾斜した溝４ｃと片側に設けられた垂直の溝４ｄ、（ｄ）は山形の溝４ｅと両側の溝４ｄ、４ｅから構成される。また、露受け部６は、図８に示すように前面パネル２に形成されており、溝部４からの結露水が流入する間隙が設けられている。この露受け部６は図１に示すＬの範囲に設けられている。
【００１３】
次に、この発明の空気調和機の室内機の動作について図４〜８により説明する。
吸込口１４より送風機１２によって吸込まれた空気は、熱交換器１１を通過して冷房運転のときは冷風、暖房運転では温風となり、吹出口１０及び風路拡大部より吹き出し、風向制御板８により風向が変えられて室内に吹出される。このとき、風路拡大部９の下流側の風向制御板８により風向を広角度に制御されて吹き出される。
【００１４】
このとき、図５に示すように、例えば、冷房運転の場合は、冷風Ａ１、Ａ２が吹き出す。
冷風Ａ１は、吹出口１０のダミー部５から離れて吹き出される冷風であり湿気を含んだ室内空気Ｂが入りにくいので、吹出口１０には着露しない。
一方、冷風Ａ２は、ダミー部５寄りの冷風であり、湿気を含む室内空気Ｂを巻き込み、例えば、ダミー部５の吹出口１０側のＰ部で冷風Ａ１と湿気を含む室内空気Ｂが交わり、室内空気Ｂの湿気が冷風により冷却されて結露しダミー部５に着露する。
【００１５】
しかし、ダミー部５には、溝部４が設けられているので、着露により結露水が生じても、
溝部４の溝４ａに毛細管現象により保持されるので落下しない。また、結露水が保持できないほど発生した場合には、結露水は略垂直または傾斜した複数の溝４ａを伝い、重力により下部に流れ、溝部４の下端部の露受け部６にて回収される。
露受け部６にて回収された結露水は冷風の時は冷風停止時の周囲温度によって蒸発する。
【００１６】
なお、溝部４の形状が図７（Ｃ）の場合は、傾斜した溝４ｃの結露水が一旦、垂直な溝４ｄに流れてから、下部に流れ、溝部４の下端部の露受け部６にて回収される。
また、溝部４の形状が図７（ｄ）の場合は、傾斜した溝４ｅの結露水が一旦、垂直な溝４ｄ、４ｆに流れてから、下部に流れ、溝部４の下端部の露受け部６にて回収される。
【００１７】
以上のように、吸込口１４、熱交換器１１、送風機１２、吹出口１０及びこの吹出口１０の横側に設けられたダミー部５を有する空気調和機の室内機において、ダミー部５に設けられ、正面視略垂直または傾斜した複数の微細な溝４ａからなる溝部４と、この溝部４の下端部に溝部に生じた結露水を回収する露受け部６と、を備えたので、保水用の植毛テープを必要とせず、複数の微細な溝４ａにて結露水を保持し、結露水が保持できないほど発生した場合には、結露水は溝４ａを伝い、その下端部の露受け部６にて回収することができる。
【００１８】
また、吹出口１０の周辺を覆う前面パネル２から凹んだ位置に形成され、吹出口１０の横側の風路を拡大する風路拡大部９を備え、ダミー部５は、風路拡大部９の上流側に配設されたので、風路拡大部９がない場合は、周辺を覆う前面パネル２に結露してしまうが、
本実施の形態では、ダミー部５に結露させることができる。
また、風路拡大部９の下流側に風向制御板８を配設したので、風向を広角度に制御することができる。
また、溝部４を垂直の溝４ａの他、曲線の溝４ｂ、傾斜した溝４ｃ等としたので、意匠性を向上することができる。
【００１９】
なお、本実施の形態では露受け部６は図１に示すＬの範囲に設けたが、溝部４のある部分でもよい。
また、本実施の形態では風路拡大部９を設けたが、ダミー部５の前面に、表示部等設け、風路拡大部９として利用していないないものでも同様な効果を得ることができる。
【図面の簡単な説明】
【００２０】
【図１】この発明の実施の形態における空気調和機の室内機の斜視図である。
【図２】この発明の実施の形態における空気調和機のダミー部の斜視図である。
【図３】この発明の実施の形態における空気調和機の前面パネルを一部除いたものの斜視図である。
【図４】図２に示したダミー部の断面図である。
【図５】図１の横断面図である。
【図６】この発明の実施の形態における空気調和機のダミー部に設けられた溝部の断面図である。
【図７】この発明の実施の形態における空気調和機のダミー部に設けられた溝部の溝の形状を示す図である。
【図８】この発明の実施の形態における空気調和機のダミー部に設けられた溝部と露受け部の拡大断面図である。
【符号の説明】
【００２１】
１  筐体、２  前面パネル、４  溝部、４ａ〜４ｆ  溝、５  ダミー部、６  露受け部、８  風向制御板、９  風路拡大部、１０  吹出口、 １１  熱交換器、１２ 送風機、１４ 吸込口。
【図１】
2007127389.tif 000003
【図２】
2007127389.tif 000004
【図３】
2007127389.tif 000005
【図４】
2007127389.tif 000006
【図５】
2007127389.tif 000007
【図６】
2007127389.tif 000008
【図７】
2007127389.tif 000009
【図８】
2007127389.tif 000010